(57)【要約】【課題】撮像部の使用の態様に合わせてその撮像方向が最適の角度に向くようにすることにより、操作性を向上させることができる撮像機能付折り畳み型携帯端末機を提供する。【解決手段】第１筐体４と、第２筐体６と、連結部８を備え、連結部８により第１筐体４と第２筐体６とが折り畳み自在に構成された撮像機能付折り畳み型携帯端末機２０，２２であって、撮像部１０が第１筐体４又は連結部８に設けられ、撮像部１０により撮影される映像を表示するための画像表示部１２及び操作部のそれぞれが第１筐体４及び第２筐体６のいずれか又は両方に設けられ、第１筐体４と第２筐体６のなす折り畳み角度に応じて、撮像部１０の撮像方向を変化させる撮像方向制御手段３０，３２，３４，３６，３８，４０を有するようにした。【選択図】　　　図３
2004040175.tif 000002
【特許請求の範囲】
【請求項１】
第１筐体と、第２筐体と、連結部を備え、前記連結部により前記第１筐体と前記第２筐体とが折り畳み自在に構成された撮像機能付折り畳み型携帯端末機であって、
撮像部が前記第１筐体又は前記連結部に設けられ、
前記撮像部により撮影される映像を表示するための画像表示部及び操作部のそれぞれが前記第１筐体及び前記第２筐体のいずれか又は両方に設けられ、
前記第１筐体と前記第２筐体のなす折り畳み角度に応じて、前記撮像部の撮像方向を変化させる撮像方向制御手段を有することを特徴とする撮像機能付折り畳み型携帯端末機。
【請求項２】
前記折り畳み角度が第１の所定角度又はその近傍である場合には、前記撮像方向が、前記画像表示部の表示面側であって且つ該表示面に略垂直な方向を向くようにし、
前記折り畳み角度が第２の所定角度又はその近傍である場合には、前記撮像方向が、前記画像表示部の表示面とは逆側であって且つ該表示面に略垂直な方向を向くようにした請求項１に記載の撮像機能付折り畳み型携帯端末機。
【請求項３】
前記撮像機能付折り畳み型携帯端末機がデータ通信及び通話の機能を有すると共に、
前記第２の所定角度が、前記通話を行うのに適した角度であるようにした請求項２に記載の撮像機能付折り畳み型携帯端末機。
【請求項４】
前記第１の所定角度が略９０度から略１２０度の範囲の角度であって、前記第２の所定角度が略１６０度から略１８０度の範囲の角度であるような請求項２に記載の撮像機能付折り畳み型携帯端末機。
【請求項５】
前記撮像方向制御手段が、前記連結部の回動軸と同一軸線上の回動軸を有する歯車、クランク又はプーリーからなる機構であるようにした請求項１ないし請求項４のいずれかに記載の撮像機能付折り畳み型携帯端末機。
【請求項６】
前記第１筐体又は前記連結部の前記撮像部が配置された位置近傍の部分を略透明に構成することにより、前記撮像部が直接外部に露出せず撮影可能にしたことを特徴とする請求項１に記載の折り畳み型携帯端末機。
【発明の詳細な説明】
【０００１】
【発明の属する技術分野】
本発明は、例えば携帯電話機のような携帯端末機に関し、特に撮像機能を備えた折り畳み型携帯端末機に関するものである。
【０００２】
【従来の技術】
携帯電話機やＰＤＡ（Ｐｅｒｓｏｎａｌ　Ｄｉｇｉｔａｌ　Ａｓｓｉｓｔａｎｔ）等の携帯端末機は、よりコンパクト化、多機能化されて、折り畳み型であってＣＣＤ（Ｃｈａｒｇｅ　Ｃｏｕｐｌｅｄ　Ｄｅｖｉｃｅ）等の撮像機能が搭載されているものがある。
【０００３】
このような撮像機能付折り畳み型携帯端末機としては、例えば図８に示すような撮像機能付折り畳み型携帯電話機２があり、この撮像機能付折り畳み型携帯電話機２は、ヒンジ部８（連結部）を介して上部側の第１筐体４と下部側の第２筐体６が回動して折り畳んだり開いたりすることができるように連結されている。
【０００４】
そして、ヒンジ部８には撮像部１０が設けられており、この撮像部１０は、ヒンジ部８の回動軸と同軸で手動により独自に回動可能であるため、撮像部１０の撮像方向を手動調整することができるようになっている。
【０００５】
そして、第１筐体４の内側面には撮影された映像を表示するための画像表示面１２（画像表示部）が設けられている。また、このような撮像機能付折り畳み型携帯電話機２とは別に、撮像部１０がヒンジ部８ではなく、第１筐体４の外側面に撮像方向が固定されて設けられているものもある。
【０００６】
通常このような撮像機能付折り畳み型携帯電話機２は撮像部１０にファインダーを搭載していないため、撮像部１０から入力される画像を画像表示面１２に表示するようになっている。従って、撮像部１０を使用する場合には、ユーザーは画像表示面１２を見ながら撮像方向や撮像画像を確認して撮影するようになっている。
【０００７】
このような撮像機能付折り畳み型携帯電話機２によって、Ｗｅｂ閲覧やデータ通信、メール操作等の非通話状態での操作を行う場合には、図８の状態のように、第１筐体４と第２筐体６のなす折り畳み角度が略９０度から略１２０度位になるようにして、テーブル等の水平面上に載置する。
【０００８】
これにより、ユーザーは画像表示面１２を見ながら第２筐体６に設けられているキー操作を容易に行うことができ、Ｗｅｂ閲覧等の撮像機能付折り畳み型携帯電話機の各種操作の操作性が向上する。
【０００９】
また、撮像部１０の撮像方向をユーザー側に手動により向けることにより、ハンズフリーでユーザー自身を撮影して相手方の携帯端末機にその画像を送ることや、ＴＶ電話として使用することが可能となる。また、このように使用することで、画像表示面１２を確認しながらユーザー自身の撮影等もすることができる。
【００１０】
また、周囲の景色等、ユーザー自身以外を撮影するときには、通常折り畳み角度を略１６０度から略１８０度程度に開き、さらに撮像部１０の撮像方向を図８に図示するユーザーの視線方向Ｅとほぼ同じ方向に向けて、ユーザーは撮像機能付折り畳み型携帯電話機２を自身の手で保持して、画像表示面１２を見ながら撮像方向や撮像画像を確認して撮影するようになっている。
【００１１】
【発明が解決しようとする課題】
しかしながら、このような撮像機能付折り畳み型携帯端末機２にあっては、データ通信又はユーザー自身を撮影する場合と、ユーザー自身以外を撮影する場合とによって、撮像部１０の撮像方向を変化させるようユーザーが操作しなければならず、また操作してもその角度は毎回微妙に異なり一定させることができないので、操作性が悪いという問題があった。
【００１２】
そこで本発明は、撮像部の使用の態様に合わせてその撮像方向を最適の角度に向くようにすることにより、操作性を向上させることができる撮像機能付折り畳み型携帯端末機を提供することを課題とするものである。
【００１３】
【課題を解決するための手段】
上記課題を解決するために本発明は、
第１筐体と、第２筐体と、連結部を備え、前記連結部により前記第１筐体と前記第２筐体とが折り畳み自在に構成された撮像機能付折り畳み型携帯端末機であって、
撮像部が前記第１筐体又は前記連結部に設けられ、
前記撮像部により撮影される映像を表示するための画像表示部及び操作部のそれぞれが前記第１筐体及び前記第２筐体のいずれか又は両方に設けられ、
前記第１筐体と前記第２筐体のなす折り畳み角度に応じて、前記撮像部の撮像方向を変化させる撮像方向制御手段を有することを特徴とするものである。
【００１４】
このような撮像機能付折り畳み型携帯端末機によれば、ユーザーが撮像部をどの方向に向けて使用するかの態様に合わせて、その撮像方向が最適の方向に向くようにすることができるので、ユーザー自身が撮像方向の面倒な操作をする必要がないため、その操作性を向上させることができる。
【００１５】
【発明の実施の形態】
以下、本発明の実施の形態について、図面に基づいて具体的に説明する。
図１乃至図７は、本発明に係る撮像機能付折り畳み型携帯端末機の実施の形態について説明するために参照する図である。
【００１６】
これらの図に示す、本発明の実施の形態に係る折り畳み型携帯電話機２０，２２は、前記従来の撮像機能付折り畳み型携帯端末機２と同じ部品には同じ符号を付して説明し、その従来の携帯端末機２と同様の構成についての重複する説明は省略するものとする。
【００１７】
図１及び図２は、本発明の実施の形態に係る、撮像部１０を有する折り畳み型携帯電話機２０，２２（撮像機能付折り畳み型携帯端末機）を示したものであり、後述する第１ないし第５の実施の形態により、撮像部１０の使用の態様に合わせてその撮像方向を最適の方向に向かせることができるようにしたものである。
【００１８】
図１に示す折り畳み型携帯電話機２０は、撮像部１０が第１筐体４に設けられるようにしたものであり、図２に示す折り畳み型携帯電話機２２は、撮像部１０がヒンジ部８（連結部）に設けられるようにしたものである。
【００１９】
図１及び図２中において、第１筐体４が実線で示した位置（図中Ａの状態）、すなわちユーザー自身以外を撮影するのに適するように、第１筐体４と第２筐体６とのなす折り畳み角度を略１６０度から略１８０度の範囲の角度にした場合には、撮像部１０の撮像方向はａの方向となるようになっている。
【００２０】
この上記略１６０度から略１８０度の角度は、折り畳み型携帯電話機２０，２２において通話に適した角度であるとして、図示しないヒンジ部８のロック機構によりロックされる角度である。
【００２１】
また、第１筐体４を二点鎖線で示した位置（図中Ｂの状態）、すなわちデータ通信、Ｗｅｂ閲覧、メール操作等やユーザー自身を撮影するのに適するように、第１筐体４と第２筐体６との折り畳み角度を略９０度から略１２０度の範囲の角度にした場合には、撮像部１０の撮像方向はｂの方向となるようになっている。
【００２２】
この上記略９０度から略１２０度の角度は、折り畳み型携帯電話機２０，２２においてＷｅｂ閲覧やデータ通信やメール操作等の非通話状態での操作に適した角度であるとして、図示しないヒンジ部８のロック機構によりロックされる角度である。
【００２３】
このような折り畳み型携帯電話機２０，２２は、例えば図３ないし図７に示すような、以下に示す第１ないし第７の実施の形態により実現することができる。
【００２４】
図３の折り畳み型携帯電話機２０は、本発明の第１の実施の形態を示したものであって、第１筐体４に設けられた撮像部１０を、平プーリーと平ベルトによって回動させるような機構を用いたものである。
【００２５】
なお、同図中において、撮像部１０を回動させるための機構は実線で表し、第１筐体４及び第２筐体６の外形は二点鎖線で表すこととし、その細部及び他の部品の図示は省略することとする。
【００２６】
図３においてシャフト３０の回転軸は、ヒンジ部８の回転軸と同一軸線上にあり、その一方の端部３０ａは第２筐体６に固定されており、その他方の端部３０ｂ側は、第１筐体４の内部において不図示の軸受けで支持され、自由に回動することができるようになっている。また、シャフト３０の他方の端部３０ｂには平プーリー３２が固定されている。
【００２７】
第１筐体４に設けられている撮像部１０の両端にはシャフト３０と平行となるように、シャフト３４，３６が突設して固定されており、撮像部１０は第１筐体４の内部において不図示の軸受けで支持された、シャフト３４，３６の軸回り方向に自由に回動することができるようになっている。
【００２８】
そして、そのシャフト３４には、その外径が前記平プーリー３２の略半分である平プーリー３８が固定されており、それらの平プーリー３８と平プーリー３２の間には平ベルト４０が掛け渡されている。
【００２９】
このような機構を設けることにより、第１筐体４の第２筐体に対する折り畳み角度が変化すると、それに伴いヒンジ部８の第２筐体６側に固定されているシャフト３０を介して、プーリー３２は相対的に同じ角度だけ逆方向に回転する。
【００３０】
この回転動作は、平ベルト４０により伝達されて、撮像部１０側のプーリー３８を回転させることにより、撮像部１０を前記折り畳み角度の変化に対して２倍の角度で変化させることができる。
【００３１】
したがって、図１に実線で示したように、第１筐体４の折り畳み角度を例えば略１８０度位の位置にした場合には、ユーザー自身以外の撮影に適するように、撮像部１０の撮像方向をユーザーの視線Ｅと同じ方向になるようにしておき、二点鎖線で示したように、第１筐体４の折り畳み角度を略９０度位の位置に変化させた場合には、撮像部１０の撮像方向は略１８０度回動してユーザー側に向き、データ通信やユーザー自身を撮影するのに適するような折り畳み型携帯電話機２０を実現することができる。
【００３２】
また、図１において実線で示した状態の折り畳み角度を例えば１７０度とし、二点鎖線状態の折り畳み角度を例えば１００度とするような場合には、平プーリー３２と平プーリー３８の外径を適宜設定することにより、上述と同じ撮像部１０の撮像方向の回動を行うことができる。
【００３３】
また、第１筐体４の表面と裏面の少なくとも一方の面において、撮像部１０近傍の部分を略透明の部材で構成して撮像部１０を覆うことや、撮像部１０近傍の部分を開口させ、この開口部分を略透明の部材でカバーすることにより、直接撮像部１０を露出しないようにしてもよい。これによって、撮像部１０が保護されるため、撮像部１０のレンズ等に傷が付くこと等を防止することができる。
【００３４】
図４は、本発明の第２の実施の形態に係る折り畳み型携帯電話機２２を示したものであって、撮像部１０がヒンジ部８に設けられている場合に、これを平プーリーと平ベルトによって回動させるような機構を用いたものである。
【００３５】
図４においてシャフト４２の回転軸は、ヒンジ部８の回転軸と同一軸線上にあり、その一方の端部４２ａは第２筐体６に固定されており、その他方の端部４２ｂ側は第１筐体４の内部において不図示の軸受けで支持され、自由に回動することができるようになっている。また、シャフト４２の他方の端部４２ｂには平プーリー４４が固定されている。
【００３６】
ヒンジ部８に設けられている撮像部１０の両端には、やはりヒンジ部８の回転軸と同一軸線上に、シャフト４６，４８が突設して固定されており、シャフト４６は第１筐体４の内部において不図示の軸受けで支持されているとともに、シャフト４８は第２筐体６の内部において不図示の軸受けで支持されている。すなわちシャフト４６，４８は、それぞれの軸受けに回転自在に支持されているので、撮像部１０は軸回り方向に自由に回動することができるようになっている。
【００３７】
そして、シャフト４６には平プーリー５０が固定されている。第１筐体４の内部には、シャフト５２がヒンジ部８の回転軸と平行になるように配置されて、不図示の軸受けによって回転自在に支持されている。
【００３８】
そしてシャフト５２の一方の端部５２ａには、その外径が平プーリー４４と同じである平プーリー５４が固定されていて、その平プーリー５４は平プーリー４４に回転動作が伝達されるように、それらの間に平ベルト５６が掛け渡されている。
【００３９】
またシャフト５２の他方の端部５２ｂには、その外径が平プーリー５０の２倍である平プーリー５８が固定されていて、その平プーリー５８は平プーリー５０に回転動作が伝達されるように、それらの間に平ベルト６０が掛け渡されている。
【００４０】
このような機構を設けることにより、第１筐体４の第２筐体６に対する折り畳み角度が変化すると、それに伴いヒンジ部８の第２筐体６側に固定されているシャフト４２を介して、プーリー４４が相対的に同じ角度だけ逆方向に回転する。
【００４１】
この回転動作は、平ベルト５６，プーリー５４，シャフト５２，平プーリー５８，平ベルト６０により伝達されて、撮像部１０側のプーリー５０を回転させることにより、撮像部１０の角度を前記折り畳み角度の変化に対してその２倍の角度で変化させることができる。
したがって、本実施の形態によっても、前記第１の実施の形態と同様に、図２に示したような折り畳み型携帯電話機２２を実現することができる。
【００４２】
また、ヒンジ部８において、撮像部１０近傍の部分を略透明の部材で構成して撮像部１０を覆うことや、撮像部１０近傍の部分を開口させ、この開口部分を略透明の部材でカバーすることにより、直接撮像部１０を露出しないようにしてもよい。これによって、撮像部１０が保護されるため、撮像部１０のレンズ等に傷が付く事等を防止することができる。
【００４３】
なお上記の第１及び第２の実施の形態において、プーリー及びベルトは平プーリー及び平ベルトに限る必要はなく、Ｖプーリー及びＶベルト等の他の種類のプーリー及びベルトを使用してもよい。また例えば、歯付プーリー及び歯付ベルトを用いることにより位相ずれを防ぐようにすることもできる。
【００４４】
図５は、本発明の第３の実施の形態に係る折り畳み型携帯電話機２０を示したものであって、撮像部１０が第１筐体４に設けられている場合に、これをクランク機構と歯車機構を組み合わせた機構を用いて回動させるようにしたものである。
【００４５】
図５においてシャフト６２の回転軸は、ヒンジ部８の回転軸と同一軸線上にあり、一方の端部６２ａが第２筐体６に固定されており、その他方の端部６２ｂ側が第１筐体４の内部において不図示の軸受けで支持されている。そして、シャフト６２の他方の端部６２ｂには円板６４が固定されている。
【００４６】
第１筐体４に設けられている撮像部１０とヒンジ部８の中間の位置には、シャフト６６がヒンジ部８の回転軸と平行となるように配置されて、不図示の軸受けによって回転自在に支持されている。
【００４７】
そしてシャフト６６の一方の端部６６ａには円板６８が固定されており、円板６８と前記円板６４は、連結棒７０により連結されている。連結棒７０の両方の端部７０ａ，７０ｂのそれぞれと、円板６４及び円板６８の結合はピン結合になっている。またシャフト６６の他方の端部６６ｂには歯車７２が固定されている。
【００４８】
撮像部１０の両端には、ヒンジ部８の回転軸と平行となるように、シャフト７４，７６が突設して固定されており、第１筐体４内で不図示の軸受けに回動自在となるように支持されているので、撮像部１０はその軸回り方向に自由に回動することができるようになっている。
【００４９】
そして、シャフト７４の端部７４ａには、その歯数が歯車７２の半分である歯車７８が固定されており、歯車７８と歯車７２がかみ合うことにより相互間に回転動作が伝達されるようになっている。
【００５０】
このような機構により、第１筐体４の第２筐体６に対する折り畳み角度が変化すると、それに伴いヒンジ部８の第２筐体６側に固定されているシャフト６２を介して、円板６４が相対的に同じ角度だけ逆方向に回転する。
【００５１】
この回転動作は、連結棒７０と円板６８を介してシャフト６６に伝達され、さらに回転動作歯車７２及び歯車７８によりシャフト７４に伝達されて、撮像部１０の角度を前記折り畳み角度の変化に対して２倍の角度で変化させることができる。
したがって、本実施の形態によっても、前記第１の実施の形態と同様に、図１に示したような折り畳み型携帯電話機２０を実現することができる。
【００５２】
また、このような機構によれば、クランク機構の連結棒７０の長さを変えることにより、撮像部１０を、画像表示面１２（画像表示部）の上側の位置等のように、ヒンジ部８から遠く離れたところにも設けることができる。
【００５３】
図６は、本発明の第４の実施の形態に係る折り畳み型携帯電話機２０を示したものであって、撮像部が第１筐体４に設けられている場合に、これを歯車機構を用いて回動させるようにしたものである。
【００５４】
図６においてシャフト８０の回転軸は、ヒンジ部８の回転軸と同一軸線上にあり、一方の端部８０ａが第２筐体６に固定されており、他方の端部８０ｂは第１筐体４の内部において、不図示の軸受けで支持され、第１筐体４に対して自由に回動することができるようになっている。そして、シャフト８０の他方の端部８０ｂ側には歯車８２が固定されている。
【００５５】
第１筐体４に設けられている撮像部１０の両端には、ヒンジ部８の回転軸と平行になるように、シャフト８４，８５が突設して固定されており、シャフト８４，８５は不図示の軸受けにより回転自在に支持されているので、撮像部１０はその軸回り方向に自由に回動することができるようになっている。
【００５６】
そして、シャフト８４の端部８４ａには、その歯数が歯車８２の半分である歯車８６が固定されている。歯車８６と歯車８２の間には、中間歯車８８が第１筐体４内に設けられたシャフト９０に回転自在に支持されており、これら３つの歯車８２，８６，８８は歯車列を形成している。
【００５７】
このような機構により、第１筐体４の第２筐体６に対する折り畳み角度が変化すると、それに伴いヒンジ部８の第２筐体６側に固定されているシャフト８０を介して、歯車８２が相対的に同じ角度だけ逆方向に回転する。
【００５８】
この回転動作は、歯車８８を介して撮像部１０側の歯車８６を回転させることにより、撮像部１０を前記折り畳み角度の変化に対して２倍の角度で変化させることができる。
したがって、本実施の形態によっても、前記第１の実施の形態と同様に、図１に示したような折り畳み型携帯電話機２０を実現することができる。
【００５９】
なお、撮像部１０の変化する角度を前記折り畳み角度の変化の２倍にするには、ヒンジ部８において第２筐体６側に固定されているシャフト８０を介して回動する歯車８２に対して、撮像部１０を回動させるための歯車８６の歯数が半分であればよく、他の歯車の歯数は制限されない。
【００６０】
図７は、本発明の第５の実施の形態に係る折り畳み型携帯電話機２２を示したものであって、撮像部１０がヒンジ部８に設けられている場合に、これを歯車機構によって回動させるような機構を用いたものである。
【００６１】
図７中のシャフト９２の回転軸は、ヒンジ部８の回転軸と同一軸線上にあり、その一方の端部９２ａは第１筐体４に固定されており、その他方の端部９２ｂ側が第１筐体４の内部において不図示の軸受けで支持され、さらにシャフト９２の他方の端部９２ｂには歯車９４が固定されている。
【００６２】
ヒンジ部８に設けられている撮像部１０の両端には、やはりヒンジ部８の回転軸と同一軸線上に、シャフト９６，９８が突設して固定されている。シャフト９６は第２筐体６の内部において不図示の軸受けで支持されており、シャフト９８は第１筐体４の内部においてやはり不図示の軸受けで支持されていて、シャフト９６，９８はそれぞれ固定されていないので、撮像部１０はその軸回り方向に自由に回動することができるようになっている。そして、シャフト９６の端部９６ａには歯車１００が固定されている。
【００６３】
また、第２筐体６の内部には、シャフト１０２が、ヒンジ部８の回転軸と平行になるようにして、不図示の軸受けによって回転自在に支持されている。そしてシャフト１０２の一方の端部１０２ａには歯車１０４が固定されていて、その歯車１０４は歯車９４と回転動作を伝達できるようにかみ合っている。
【００６４】
またシャフト１０２の他方の端部１０２ｂには、歯車１０６が固定されていて、その歯車１０６は歯車１００と回転動作を伝達できるようにかみ合っている。そして、歯車１０６と歯車１００の回転比が１：２となるように、互いの歯数が設定されている。
【００６５】
このような機構を設けることにより、第１筐体４の第２筐体６に対する折り畳み角度が変化すると、それに伴いヒンジ部８の第１筐体４側に固定されているシャフト９２を介して歯車９４も同じ角度だけ回転する。
【００６６】
この回転動作は、歯車１０４，１０６により伝達されて、撮像部１０側の歯車１００を回転させることにより、撮像部１０の角度を前記折り畳み角度の変化に対して２倍の角度で変化させることができる。
したがって、本実施の形態によっても、前記第２の実施の形態と同様に、図２に示したような折り畳み型携帯電話機２２を実現することができる。
【００６７】
次に、本発明の第６の実施の形態にかかる折り畳み型携帯電話機を説明する。この実施の形態においては、図１において、第１筐体４と第２筐体６とを閉じた状態から第１筐体４を二点鎖線で示した位置（図中Ｂの状態）、すなわちデータ通信、Ｗｅｂ閲覧、メール操作、ユーザー自身の撮影操作に適した略９０度から略１２０度の範囲内の所定の角度状態の間、撮像部１０の撮像方向は常にユーザーの方向に向いていると共に撮像部１０の第１筐体４に対する角度は或る同一角度を保持したままであり、第１筐体４を前記した所定角度状態より開いた略１２０度より大なる状態（第１筐体４を実線で示した位置のＡの状態を含む）では、撮像部１０の撮像方向は常にユーザーとは逆の方向に向いていると共に撮像部１０の第１筐体４に対する角度は別の或る同一角度を保持したままとなるものである。
【００６８】
この実施の形態は、言い換えると、前記所定角度状態を境にして、撮像部１０の撮像方向を略１８０度反転切換えするものであり、特に図示しないヒンジ部８に設けた反転機構により反転切換えされるものである。
【００６９】
また、本発明の第７の実施の形態に係る折り畳み型携帯電話機を説明する。
この実施の形態は、前述の撮像部１０を第１筐体４に備えた第６の実施の形態に代えて、撮像部１０をヒンジ部８に備えたものである。そして、図２において、第１筐体４と第２筐体６とを閉じた状態から第１筐体４を二点鎖線で示した位置（図中Ｂの状態）、すなわちデータ通信、Ｗｅｂ閲覧、メール操作、ユーザー自身の撮影操作に適した略９０度から略１２０度の範囲内の所定の角度状態の間、撮像部１０の撮像方向は常にユーザーの方向に向いていると共に撮像部１０の第１筐体４に対する角度は或る同一角度を保持したままであり、第１筐体４を前記した所定角度状態より開いた略１２０度より大なる状態（第１筐体４を実線で示した位置のＡの状態を含む）では、撮像部１０の撮像方向は常にユーザーとは逆の方向に向いていると共に撮像部１０の第１筐体４に対する角度は別の或る同一角度を保持したままとなるものである。
【００７０】
この実施の形態は、言い換えると、前記所定角度状態を境にして、撮像部１０の撮像方向を略１８０度反転切換えするものであり、特に図示しないヒンジ部８に設けた反転機構により反転切換えされるものである。
【００７１】
なお、上記の第１ないし第７の実施の形態においては、いずれも撮像部１０が第１筐体４又はヒンジ部８に設けられているものとしたが、撮像部１０が第２筐体６に設けられている場合であっても、同様の技術的思想に基づいて実施することができることはいうまでもない。
【００７２】
また、本発明に係る折り畳み型携帯電話機２０，２２は、第１筐体及び第２筐体を上下方向に折り畳むようにしたものであるが、これに限らず第１筐体及び第２筐体を左右方向に折り畳むようにしたものにも適用することができる。
【００７３】
また撮像機能付折り畳み型携帯端末機の形状等によって、データ通信や通話に最適となる折り畳み角度は異なるから、データ通信や通話それぞれに最適となる折り畳み角度は、略９０度とか略１７０度に限られるものではない。
【００７４】
【発明の効果】
以上説明したように、本発明による撮像機能付折り畳み型携帯端末機によれば、ユーザーが撮像部をどの方向に向けて使用するかの態様に合わせて、すなわちデータ通信したりユーザー自身を撮影するのか、或はユーザー自身以外を撮影するのかに合わせて、撮像部の撮像方向が最適の角度に向くようにすることができるので、ユーザー自身が撮像方向の面倒な操作をする必要がない。
【００７５】
また、撮像部が第１筐体又は連結部に設けられていても、その撮像方向が最適の角度に向くようにすることができる。
【図面の簡単な説明】
【図１】本発明の第１、第３及び第４の実施の形態に係る折り畳み型携帯電話機２０を示す図であって、図１（ａ）はその部分背面図、図１（ｂ）はその部分側面図である。
【図２】本発明の第２及び第５の実施の形態に係る折り畳み型携帯電話機２２を示す図であって、図２（ａ）はその部分背面図、図２（ｂ）はその部分側面図である。
【図３】本発明の第１の実施の形態に係る折り畳み型携帯電話機２０を示す図であって、図３（ａ）はその背面図、図３（ｂ）はその側面図である。
【図４】本発明の第２の実施の形態に係る折り畳み型携帯電話機２２を示す図であって、図４（ａ）はその部分背面図、図４（ｂ）はその部分側面図である。
【図５】本発明の第３の実施の形態に係る折り畳み型携帯電話機２０を示す図であって、図５（ａ）はその部分背面図、図５（ｂ）はその部分側面図である。
【図６】本発明の第４の実施の形態に係る折り畳み型携帯電話機２０を示す図であって、図６（ａ）はその部分背面図、図６（ｂ）はその部分側面図である。
【図７】本発明の第５の実施の形態に係る折り畳み型携帯電話機２２を示す図であって、図７（ａ）はその部分背面図、図７（ｂ）はその部分側面図である。
【図８】従来の撮像機能付折り畳み型携帯電話機２を示す斜視図ある。
【符号の説明】
２　撮像機能付折り畳み型携帯電話機
４　第１筐体
６　第２筐体
８　ヒンジ部
１０　撮像部
１２　画像表示面
２０，２２　折り畳み型携帯電話機
３０　シャフト
３０ａ，３０ｂ　端部
３２　平プーリー
３４，３６　シャフト
３８　平プーリー
４０　平ベルト
４２　シャフト
４２ａ，４２ｂ　端部
４４　平プーリー
４６，４８　シャフト
５０　平プーリー
５２　シャフト
５２ａ，５２ｂ　端部
５４　平プーリー
５６　平ベルト
５８　平プーリー
６０　平ベルト
６２　シャフト
６２ａ，６２ｂ　端部
６４　円板
６６　シャフト
６６ａ，６６ｂ　端部
６８　円板
７０　連結棒
７０ａ，７０ｂ　端部
７２　歯車
７４　シャフト
７４ａ　端部
７６　シャフト
７８　歯車
８０　シャフト
８０ａ，８０ｂ　端部
８２　歯車
８４　シャフト
８４ａ　端部
８５　シャフト
８６　歯車
８８　中間歯車
９０，９２　シャフト
９２ａ，９２ｂ　端部
９４　歯車
９６　シャフト
９６ａ　端部
９８　シャフト
１００　歯車
１０２　シャフト
１０２ａ，１０２ｂ　端部
１０４，１０６　歯車
【図１】
2004040175.tif 000003
【図２】
2004040175.tif 000004
【図３】
2004040175.tif 000005
【図４】
2004040175.tif 000006
【図５】
2004040175.tif 000007
【図６】
2004040175.tif 000008
【図７】
2004040175.tif 000009
【図８】
2004040175.tif 000010